(57)【特許請求の範囲】
【請求項１】
入力される画像情報に基づく画像を投射し、表示する画像表示手段と、
投射される前記画像のフォーカス調整を行うフォーカス調整手段と、
前記フォーカス調整手段に対する操作を検出する検出手段と、
前記フォーカス調整手段に対する操作による前記画像のフォーカス調整を補助するガイダンス画面を生成するガイダンス画面生成手段と、を備え、
前記画像表示手段は、前記検出手段が、前記フォーカス調整手段が操作されたことを検出すると、前記ガイダンス画面の画像を投射して表示し、
前記フォーカス調整手段は、所定の方向及び当該所定の方向に対する反対方向に操作されることで、前記画像のフォーカス調整を行い、
前記ガイダンス画面には、
前記フォーカス調整手段に対する操作方向が合焦方向である場合では、前記操作方向が合焦方向であることを示す表示が含まれ、
前記操作方向が合焦方向とは反対方向である場合では、前記操作方向が合焦方向とは反対方向であることを示す表示が含まれることを特徴とするプロジェクタ。
【請求項２】
入力される画像情報に基づく画像を投射し、表示する画像表示手段と、
投射される前記画像のフォーカス調整を行うフォーカス調整手段と、
前記フォーカス調整手段に対する操作を検出する検出手段と、
前記フォーカス調整手段に対する操作による前記画像のフォーカス調整を補助するガイダンス画面を生成するガイダンス画面生成手段と、を備え、
前記ガイダンス画面生成手段は、前記検出手段が、前記フォーカス調整手段が操作されたことを検出すると、前記ガイダンス画面を生成し、
前記画像表示手段は、生成された前記ガイダンス画面の画像を投射して表示し、
前記フォーカス調整手段は、所定の方向及び当該所定の方向に対する反対方向に操作されることで、前記画像のフォーカス調整を行い、
前記ガイダンス画面には、
前記フォーカス調整手段に対する操作方向が合焦方向である場合では、前記操作方向が合焦方向であることを示す表示が含まれ、
前記操作方向が合焦方向とは反対方向である場合では、前記操作方向が合焦方向とは反対方向であることを示す表示が含まれることを特徴とするプロジェクタ。
【請求項３】
入力される画像情報に基づく画像を投射し、表示する画像表示手段と、
投射される前記画像のフォーカス調整を行うフォーカス調整手段と、
前記フォーカス調整手段に対する操作による前記画像のフォーカス調整を補助するガイダンス画面を生成するガイダンス画面生成手段と、を備え、
前記画像表示手段は、前記ガイダンス画面の画像を投射して表示し、
前記フォーカス調整手段は、所定の方向及び当該所定の方向に対する反対方向に操作されることで、前記画像のフォーカス調整を行い、
前記ガイダンス画面には、
前記フォーカス調整手段に対する操作方向が合焦方向である場合では、前記操作方向が合焦方向であることを示す表示が含まれ、
前記操作方向が合焦方向とは反対方向である場合では、前記操作方向が合焦方向とは反対方向であることを示す表示が含まれることを特徴とするプロジェクタ。
【請求項４】
請求項１から請求項３のいずれかに記載のプロジェクタにおいて、
前記ガイダンス画面には、投射される前記画像が合焦状態となる前記フォーカス調整手段の操作方向が含まれることを特徴とするプロジェクタ。
【請求項５】
請求項１から請求項４のいずれかに記載のプロジェクタにおいて、
前記ガイダンス画面生成手段は、前記画像のフォーカスが合焦状態にあることを示す前記ガイダンス画面を生成することを特徴とするプロジェクタ。
【請求項６】
請求項１から請求項５のいずれかに記載のプロジェクタおいて、
前記画像表示手段により投射された前記画像を撮像する撮像手段と、
前記撮像手段にて撮像された撮像画像、及び、当該撮像画像の直前に撮像された撮像画像とを少なくとも記憶する記憶手段と、
前記各撮像画像を比較し、前記画像が合焦状態となる前記フォーカス調整手段の操作方向を判定する判定手段と、を備え、
前記ガイダンス画面生成手段は、前記判定手段の判定結果に基づいて、前記ガイダンス画面を生成することを特徴とするプロジェクタ。
【請求項７】
請求項１から請求項６のいずれかに記載のプロジェクタにおいて、
前記ガイダンス画面には、投射される前記画像の合焦状態を示すゲージが含まれることを特徴とするプロジェクタ。
【請求項８】
請求項１から請求項７のいずれかに記載のプロジェクタにおいて、
前記画像表示手段は、前記ガイダンス画面を、入力される画像情報に基づく画像に重畳させて表示することを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像を形成する光変調装置と、画像を拡大投射する投射光学装置とを備えるプロジェクタが知られている。このようなプロジェクタは、画像が投射されるスクリーン等の投射面との距離が一定ではないため、必要に応じて、当該画像のフォーカス位置を調整する必要がある。
【０００３】
このような必要性に応じて、フォーカス位置を調整するためのレバーが外部に露出して設けられたプロジェクタが知られている（例えば、特許文献１参照）。この特許文献１に記載のプロジェクタは、鏡筒、及び、当該鏡筒内に収納される複数のレンズ（１群〜４群レンズ）を有する組レンズとして構成された投射光学装置（投写レンズ）を備え、鏡筒は、１群レンズを保持する調整筒を備えている。この調整筒には、前述のレバーが係合しており、当該レバーが操作されると１群レンズが進退して、投射画像のフォーカス調整がなされる。
【０００４】
一方、投射画像のフォーカス調整を自動で行うプロジェクタが知られている（例えば、特許文献２参照）。この特許文献２に記載のプロジェクタは、スクリーンまでの距離を測る測距機構を備え、当該測距機構から得た距離情報と、投射レンズから得た焦点情報とに基づいて、フォーカス調整用のレンズをフォーカス調整機構により移動させる。これらの構成により、当該プロジェクタは、投射画像のフォーカス調整を自動で行うことができる。
【先行技術文献】
【特許文献】
【０００５】
【特許文献１】特開２００５−０９９１１６号公報
【特許文献２】特開平６−２７４３１号公報
【発明の概要】
【発明が解決しようとする課題】
【０００６】
しかしながら、特許文献１に記載のプロジェクタでは、使用者自身がレバーを操作して投射画像のフォーカス調整を行うため、当該使用者の視力が悪いと、スクリーン上に投射される投射画像が合焦状態にあるか否かを判断することが困難であり、ひいては、投射画像のフォーカス調整が煩雑となるという問題がある。
一方、特許文献２に記載のプロジェクタは、当該プロジェクタにより自動でフォーカス調整を行う構成であり、フォーカス調整用のレンズを移動させるフォーカス調整機構を設ける必要がある。このフォーカス調整機構は、例えばモータ等を採用することができるが、当該フォーカス調整機構を設けることにより、プロジェクタの重量が重くなる他、製造コストが増大するという問題がある。
【０００７】
本発明の目的は、軽量化及び低コスト化を図りつつ、容易にフォーカス調整を行うことができるプロジェクタを提供することにある。
【課題を解決するための手段】
【０００８】
前記した目的を達成するために、本発明のプロジェクタは、入力される画像情報に基づく画像を投射し、表示する画像表示手段と、投射される前記画像のフォーカス調整を行うフォーカス調整手段と、前記フォーカス調整手段に対する操作を検出する検出手段と、前記フォーカス調整手段に対する操作による前記画像のフォーカス調整を補助するガイダンス画面を生成するガイダンス画面生成手段と、を備え、前記画像表示手段は、前記検出手段が、前記フォーカス調整手段が操作されたことを検出すると、前記ガイダンス画面の画像を投射して表示し、前記フォーカス調整手段は、所定の方向及び当該所定の方向に対する反対方向に操作されることで、前記画像のフォーカス調整を行い、前記ガイダンス画面には、前記フォーカス調整手段に対する操作方向が合焦方向である場合では、前記操作方向が合焦方向であることを示す表示が含まれ、前記操作方向が合焦方向とは反対方向である場合では、前記操作方向が合焦方向とは反対方向であることを示す表示が含まれることを特徴とする。
また、本発明のプロジェクタは、入力される画像情報に基づく画像を投射し、表示する画像表示手段と、投射される前記画像のフォーカス調整を行うフォーカス調整手段と、前記フォーカス調整手段に対する操作を検出する検出手段と、前記フォーカス調整手段に対
する操作による前記画像のフォーカス調整を補助するガイダンス画面を生成するガイダンス画面生成手段と、を備え、前記ガイダンス画面生成手段は、前記検出手段が、前記フォーカス調整手段が操作されたことを検出すると、前記ガイダンス画面を生成し、前記画像表示手段は、生成された前記ガイダンス画面の画像を投射して表示し、前記フォーカス調整手段は、所定の方向及び当該所定の方向に対する反対方向に操作されることで、前記画像のフォーカス調整を行い、前記ガイダンス画面には、前記フォーカス調整手段に対する操作方向が合焦方向である場合では、前記操作方向が合焦方向であることを示す表示が含まれ、前記操作方向が合焦方向とは反対方向である場合では、前記操作方向が合焦方向とは反対方向であることを示す表示が含まれることを特徴とする。
【０００９】
なお、ガイダンス画面は、投射される画像が合焦状態となる前記フォーカス調整手段の操作内容を示す画面を例示できる。
本発明によれば、画像表示手段により表示されたガイダンス画面を参照することで、フォーカス調整手段に対して行われる投射画像のフォーカス調整操作を容易に行うことができる。従って、モータ等の駆動手段を用いて自動的にフォーカス調整を行う場合に比べ、プロジェクタの軽量化及び低コスト化を図ることができるほか、ガイダンス画面の画像が投射されるので、フォーカス調整手段を操作して、画像のフォーカス調整を容易に行うことができる。
また、フォーカス調整手段が操作された際に、ガイダンス画面が投射されて表示されることとなるので、必要に応じて当該ガイダンス画面を表示することができる。従って、所定の入力操作（例えば、ガイダンス画面を表示させる操作ボタンの入力等）が行われた場合にガイダンス画面が表示される場合に比べ、一層容易にフォーカス調整を行うことができる。
また、本発明のプロジェクタは、入力される画像情報に基づく画像を投射し、表示する画像表示手段と、投射される前記画像のフォーカス調整を行うフォーカス調整手段と、前記フォーカス調整手段に対する操作による前記画像のフォーカス調整を補助するガイダンス画面を生成するガイダンス画面生成手段と、を備え、前記画像表示手段は、前記ガイダンス画面の画像を投射して表示し、前記フォーカス調整手段は、所定の方向及び当該所定の方向に対する反対方向に操作されることで、前記画像のフォーカス調整を行い、前記ガイダンス画面には、前記フォーカス調整手段に対する操作方向が合焦方向である場合では、前記操作方向が合焦方向であることを示す表示が含まれ、前記操作方向が合焦方向とは反対方向である場合では、前記操作方向が合焦方向とは反対方向であることを示す表示が含まれることを特徴とする。
【００１０】
本発明では、前記ガイダンス画面には、投射される前記画像が合焦状態となる前記フォーカス調整手段の操作方向が含まれることが好ましい。
ここで、操作方向の表示としては、例えば、メッセージや、矢印等の図形による表示がある。
本発明によれば、投射画像が合焦状態となるフォーカス調整手段の操作方向が、ガイダンス画面に表示されるので、当該表示を参照することで、フォーカス調整手段をどの方向に操作すれば、合焦状態に近づく方向であるかを簡易に把握することができる。従って、画像のフォーカス調整を一層容易に行うことができる。
【００１１】
本発明では、前記ガイダンス画面生成手段は、前記画像のフォーカスが合焦状態にあることを示す前記ガイダンス画面を生成することが好ましい。
本発明によれば、投射画像が合焦状態にあることがガイダンス画面に示されるので、当該表示を参照することで、フォーカス調整手段の操作後に、画像が合焦状態にあるか否かを簡易に把握することができる。従って、画像のフォーカス調整を一層容易に行うことができる。
【００１２】
本発明では、前記画像表示手段により投射された前記画像を撮像する撮像手段と、前記撮像手段にて撮像された撮像画像、及び、当該撮像画像の直前に撮像された撮像画像を少なくとも記憶する記憶手段と、前記各撮像画像を比較し、前記画像が合焦状態となる前記フォーカス調整部の操作方向を判定する判定手段と、を備え、前記ガイダンス画面生成手段は、前記判定手段の判定結果に基づいて、前記ガイダンス画面を生成することが好ましい。
本発明によれば、判定手段が、撮像手段により撮像された各撮像画像に基づいて、合焦状態となるフォーカス調整手段の操作方向を判定するので、当該フォーカス調整手段が操作された方向を検出するセンサ類を設ける必要がない。従って、プロジェクタの構成を簡略化することができるほか、コストの増大を抑制することができる。
【００１３】
本発明では、前記ガイダンス画面には、投射される前記画像の合焦状態を示すゲージが含まれることが好ましい。
本発明では、前記画像表示手段は、前記ガイダンス画面を、入力される画像情報に基づく画像に重畳させて表示することが好ましい。
【図面の簡単な説明】
【００１４】
【図１】本発明の第１実施形態に係るプロジェクタを示す斜視図。
【図２】前記実施形態におけるプロジェクタの内部構造を示すブロック図。
【図３】前記実施形態におけるガイダンス画面の一例を示す図。
【図４】前記実施形態におけるフォーカス調整時のプロジェクタの処理を示すフローチャート。
【図５】本発明の第２実施形態に係るプロジェクタの内部構造を示すブロック図。
【図６】前記実施形態におけるガイダンス画面の一例を示す図。
【図７】前記実施形態におけるフォーカス調整時のプロジェクタの処理を示すフローチャート。
【発明を実施するための形態】
【００１５】
［第１実施形態］
以下、本発明に係る第１実施形態を図面に基づいて説明する。
［プロジェクタの構成］
図１は、本実施形態に係るプロジェクタ１を前面側から見た斜視図である。
プロジェクタ１は、図１に示すように、全体略直方体形状を有する合成樹脂の外装筐体２を備えている。この外装筐体２の天面部には、プロジェクタ１の電源をオン／オフする電源ボタン２１が配設されているほか、投射画像のフォーカス調整を行うフォーカス調整手段としてのフォーカス調整部３４１を露出させる開口部２２が形成されている。なお、外装筐体２は、合成樹脂等に限らず、その他の材料にて形成してもよく、例えば、金属等により構成してもよい。
【００１６】
図２は、プロジェクタ１の内部構成を示すブロック図である。
プロジェクタ１は、図２に示すように、前述の外装筐体２内に収納される画像表示手段３、検出手段４、撮像手段５、記憶手段６、画像入力手段７及び制御手段８を備える。
画像表示手段３は、入力される画像信号としての駆動信号に応じた画像を形成及び投射する。この画像表示手段３は、光源装置３１、光変調装置３２及び投射レンズ３３を備えている。
【００１７】
光源装置３１は、図示を省略するが、高圧水銀ランプ等の光源ランプ及び反射鏡であるリフレクタ、或いは、ＬＥＤ等の固体光源を備え、光変調装置３２に光束を照射する。
光変調装置３２は、図示を省略するが、光源装置３１から射出された光束を変調して画像光を形成する液晶パネルと、入力される駆動信号に応じて液晶パネルを駆動するドライバとを備えて構成されている。なお、光変調装置３２は、液晶パネルを備える構成に限定されるものではなく、例えば、マイクロミラーを用いたデバイス等、液晶以外の構成を採用してもよい。
【００１８】
投射レンズ３３は、光変調装置３２により形成された画像光をスクリーンＳｃの投射面上に拡大投射するものであり、これにより、スクリーンＳｃ上に投射画像Ｉｍが表示される。この投射レンズ３３は、前述のフォーカス調整部３４１を有する鏡筒３４（図１参照）と、当該鏡筒３４内に収納される複数のレンズとを備える組レンズとして構成されている。このうち、複数のレンズには、鏡筒３４の軸方向に沿って進退して、投射画像Ｉｍのフォーカス調整を行うフォーカスレンズ（図示省略）が含まれる。そして、当該フォーカスレンズは、フォーカス調整部３４１と係合し、当該フォーカス調整部３４１を鏡筒３４の周方向に沿って移動させると、当該フォーカスレンズが鏡筒３４の光軸に沿って進退し、これにより、投射画像Ｉｍのフォーカス調整がなされる。
【００１９】
検出手段４は、使用者によるフォーカス調整部３４１の操作を検出する。そして、検出手段４は、フォーカス調整部３４１が操作されると、検出信号を後述する制御手段８に出力する。
撮像手段５は、外装筐体２の前面（投射レンズ３３が露出する面）にスクリーンＳｃの投射面を撮像範囲とするように設けられ、当該投射面に投射レンズ３３により投射された投射画像Ｉｍを所定間隔で撮像し、取得された撮像画像を記憶手段６に記憶させる。このような撮像手段５は、ＣＣＤ（Charge Coupled Device）により構成することができるほか、ＣＭＯＳ（Complementary Metal Oxide Semiconductor）等、他の撮像装置でも構成することができる。なお、撮像手段５は、投射画像Ｉｍに重畳的に表示される後述するガイダンス画面Ｇを外して、投射画像Ｉｍを撮像する。
【００２０】
記憶手段６は、撮像手段５により撮像された撮像画像を、随時記憶する。また、記憶手段６は、後述する制御手段８での処理に必要な各種プログラム及びデータを記憶する。例えば、記憶手段６は、後述するガイダンス表示処理を制御手段８に実行させるためのガイダンス表示プログラムを記憶しているほか、当該ガイダンス表示処理にて表示されるガイダンス画面のテンプレート等を記憶している。
画像入力手段７は、画像出力装置（図示省略）から受信されたパケットを制御手段８に出力する。このようなパケットのデータ部には、画像が含まれている。また、画像入力手段７は、他の画像出力装置（図示省略）から入力された画像信号を、同じく、制御手段８に出力する。
【００２１】
［制御手段の構成］
制御手段８は、ＣＰＵ（Central Processing Unit）や記憶装置が実装された回路基板として構成され、プロジェクタ１全体を制御する。例えば、制御手段８は、投射画像Ｉｍのフォーカス調整が行われる際に、当該フォーカス調整を補助するガイダンス画面Ｇ（図３参照）を画面表示手段３に表示させる。このため、制御手段８は、画像処理部８１、フレームメモリ８２、駆動制御部８３、操作判定部８４、合焦状態判定部８５、判定手段としての合焦方向判定部８６、ガイダンス画面生成部８７を備えている。
【００２２】
画像処理部８１は、画像入力手段７から入力されるパケットの再構築及び画像信号の復調を行い、当該パケットに含まれる画像、及び、当該画像信号に応じた画像（以下、「入力画像」と略す場合がある）を、フレームメモリ８２上に展開する。
フレームメモリ８２は、前述の光変調装置３２により形成される１画面分の画像（フレーム）を複数記憶可能に構成されている。このようなフレームメモリ８２には、前述のように、画像処理部８１による入力画像が展開されるほか、ガイダンス画面生成部８７により、後述するガイダンス画面の画像が書き込まれる。
駆動制御部８３は、フレームメモリ８２に書き込まれた画像に応じた駆動信号を、光変調装置３２に出力するほか、光源装置３１の点消灯及び発光光量を制御する制御信号を出力する。
【００２３】
操作判定部８４は、検出手段４から入力される検出信号に基づいて、前述のフォーカス調整部３４１が操作されたか否かを判定する。
合焦状態判定部８５は、操作判定部８４により、フォーカス調整部３４１が操作されたと判定された場合に、撮像手段５により撮像され、記憶手段６に記憶された撮像画像に基づいて、スクリーンＳｃ上に投射されている画像が合焦状態にあるか否かを判定する。
例えば、合焦状態判定部８５は、当該フォーカス調整部３４１が操作された直後の撮像画像（操作後画像）を記憶手段６から取得する。そして、当該操作後画像のエッジ成分をラプラシアンフィルタ処理等のフィルタ処理により抽出し、当該エッジ成分に基づいて、投射画像Ｉｍの合焦状態を判定する。
なお、投射画像Ｉｍの合焦状態は、操作後画像と、当該操作後画像の直前に撮像された撮像画像（操作前画像）とのコントラスト及び輝度値の増減に基づいて判定するようにしてもよく、また、操作後画像と当該操作後画像に対応し、フレームメモリ８２に展開された入力画像とを比較することにより、合焦状態を判定するようにしてもよい。
【００２４】
合焦方向判定部８６は、合焦状態判定部８５により、投射画像Ｉｍが合焦状態にないと判定された場合に、合焦状態となるフォーカス調整部３４１の操作方向を判定する。
例えば、合焦方向判定部８６は、操作後画像及び操作前画像を記憶手段６から取得し、前述のフィルタ処理により、これら各画像のエッジ成分を取得する。そして、合焦方向判定部８６は、操作前画像のエッジ成分の強度に対して操作後画像のエッジ成分の強度が高くなる場合には、フォーカス調整部３４１に対する操作方向が合焦状態となる方向と判定し、また、低くなる場合には、当該操作方向とは反対方向が合焦状態となる方向と判定する。
【００２５】
図３は、フォーカス調整部３４１が操作された際にスクリーンＳｃ上に表示されるガイダンス画面Ｇの一例を示す図である。具体的に、図３（Ａ）及び図３（Ｂ）は、フォーカス調整部３４１に対する操作方向が合焦方向である場合、及び当該操作方向が合焦方向の反対方向である場合にそれぞれ表示されるガイダンス画面Ｇを示す図、また、図３（Ｃ）は、合焦状態にある場合のガイダンス画面Ｇを示す図である。なお、合焦方向とは、投射画像が合焦状態に近づくフォーカス調整３４１の操作方向である。
ガイダンス画面生成手段としてのガイダンス画面生成部８７は、合焦状態判定部８５及び合焦方向判定部８６による判定結果に基づいて、図３に示すようなガイダンス画面Ｇの画像を、フレームメモリ８２上に生成する。
【００２６】
例えば、ガイダンス画面Ｇには、図３に示すように、投射画像Ｉｍが合焦状態であるか否かを示す合焦状態表示部Ｇ１と、メッセージ表示部Ｇ２とが設けられている。
これらのうち、合焦状態表示部Ｇ１は、略円形状を有し、合焦状態判定部８５による判定結果に基づいて、合焦状態にあると判定された場合に所定の色での点灯状態となり、合焦状態にないと判定された場合には消灯状態となる。
メッセージ表示部Ｇ２は、フォーカス調整部３４１を操作した方向が合焦方向であるか否かを示すメッセージが表示される部分である。例えば、合焦状態となる方向に操作した場合には、図３（Ａ）に示すように、「現在の方向に操作して下さい」と表示される。また、合焦状態とはならない方向に操作した場合には、図３（Ｂ）に示すように、「反対方向へ操作して下さい」とのメッセージが表示される。また、合焦状態となる場合には、図３（Ｃ）に示すように、「焦点が合いました」とのメッセージが表示される。
【００２７】
［フォーカス調整時の処理］
次に、フォーカス調整時のプロジェクタ１の処理について、図４のフローチャートを参照して説明する。
使用者により、プロジェクタ１の電源が投入されると、光源装置３から射出された光束を光変調装置４が画像情報に応じて画像光を変調して形成し、投射レンズ３３は、当該画像光を拡大投射して、スクリーンＳｃに投射画像Ｉｍを表示させる。
次に、撮像手段５は、所定間隔で投射画像Ｉｍを撮像し、撮像した投射画像Ｉｍを記憶手段６に記憶させる（ステップＳ１）。
検出手段４は、フォーカス調整部３４１が操作されたか否かを検出し、この検出結果に基づいて、操作判定部８４は、操作されたか否かを判定する（ステップＳ２）。
【００２８】
操作判定部８４により、フォーカス調整部３４１が操作されたと判定されると、撮像手段５は、フォーカス調整部３４１の操作後の投射画像Ｉｍを取得して、取得した投射画像Ｉｍを記憶手段６に記憶させる（ステップＳ３）。
合焦状態判定部８５は、所定間隔で撮像手段５により撮像された操作後画像を記憶手段６から取得して、操作後画像のエッジ成分に基づいて、合焦状態にあるか否かを判定する（ステップＳ４）。
合焦状態判定部８５は、合焦状態にあると判定すると、ガイダンス画面生成部８７は、合焦状態判定部８５による判定結果に基づいて、図３（Ｃ）に示すようなガイダンス画面Ｇの画像をフレームメモリ８２上に生成する。そして、駆動制御部８３は、フレームメモリ８２に書き込まれた画像に応じた駆動信号を、光変調装置３２に出力して、画像表示手段３は、投射画像Ｉｍ上に図３（Ｃ）のガイダンス画面Ｇを所定時間、投射画像Ｉｍに重畳させたＯＳＤ（On Screen Display）表示を行なう（ステップＳ５）。
【００２９】
一方、合焦状態判定部８５により、合焦状態にないと判定されると、合焦方向判定部８６は、合焦状態となるフォーカス調整部３４１の操作方向を判定する（ステップＳ６）。
ガイダンス画面生成部８７は、合焦方向判定部８６による判定結果に基づいて、図３（Ａ）または図３（Ｂ）に示すようなガイダンス画面Ｇの画像をフレームメモリ８２上に生成する。そして、駆動制御部８３は、フレームメモリ８２に書き込まれた画像に応じた駆動信号を、光変調装置３２に出力して、画像表示手段３は、投射画像Ｉｍ上に図３（Ａ）のガイダンス画面Ｇを重畳させたＯＳＤ（On Screen Display）表示を行なう（ステップＳ７）。
この後は、ステップＳ１に戻って、上述したステップＳ１〜Ｓ７を繰り返す。
【００３０】
上述した第１実施形態のプロジェクタ１によれば、以下の効果がある。
（１）画面表示手段３により表示されたガイダンス画面Ｇを参照することで、フォーカス調整部３４１による投射画像Ｉｍのフォーカス調整を容易に行うことができる。従って、モータ等の駆動手段を用いて自動的にフォーカス調整を行う場合に比べ、プロジェクタ１の軽量化及び低コスト化を図ることができるほか、ガイダンス画面Ｇが投射されるので、フォーカス調整部３４１を操作して、投射画像Ｉｍのフォーカス調整を容易に行うことができる。
（２）フォーカス調整部３４１の操作される方向が投射画像Ｉｍの合焦状態に近づく方向であるか否かを示すメッセージ表示部Ｇ２を有するので、このメッセージ表示を参照することで、フォーカス調整部３４１の操作方向が正しいかを容易に把握できて、投射画像Ｉｍの合焦状態を容易に調整することができる。
【００３１】
（３）投射画像Ｉｍが合焦状態にあることがガイダンス画面Ｇの合焦状態表示部Ｇ１に示されるので、当該合焦状態表示部Ｇ１を参照することで、フォーカス調整部３４１の操作後に、投射画像Ｉｍが合焦状態にあるか否かを簡易に把握することができる。従って、投射画像Ｉｍのフォーカス調整を一層容易に行うことができる。
（４）合焦方向判定部８６が、撮像手段５により撮像された各撮像画像に基づいて、合焦状態となるフォーカス調整部３４１の操作方向を判定するので、当該フォーカス調整部３４１が操作された方向を検出するセンサ類を設ける必要がない。従って、プロジェクタの構成を簡略化することができるほか、コストの増大を抑制することができる。
（５）フォーカス調整部３４１が操作された際に、ガイダンス画面Ｇが投射されて表示されることとなるので、必要に応じて当該ガイダンス画面Ｇを表示することができる。従って、所定の入力操作（例えば、ガイダンス画面Ｇを表示させる操作ボタンの入力等）が行われた場合にガイダンス画面Ｇが表示される場合に比べ、一層容易にフォーカス調整を行うことができる。
【００３２】
［第２実施形態］
本実施形態に係るプロジェクタは、前述のプロジェクタ１と同様の構成を備えるが、当該プロジェクタ１では、フォーカス調整部３４１を合焦方向に近づく方向に操作しているか、または合焦方向と反対方向に操作しているかについて、ガイダンス画面Ｇにメッセージを表示していたのに対し、本実施形態に係るプロジェクタは、フォーカス調整部３４１の位置を取得して、合焦方向となるフォーカス調整部３４１の操作方向をガイダンス画面Ｇに表示する点で相違する。なお、以下の説明では、前記実施形態と同一構成要素については、同一符号を付し、その説明を省略する。
【００３３】
図５は、本実施形態のプロジェクタ１Ａの内部構成を示すブロック図である。
プロジェクタ１Ａは、外装筐体２内に収納される画像表示手段３、検出手段４Ａ、撮像手段５、記憶手段６、画像入力手段７及び制御手段８Ａを備える。
本実施形態では、検出手段４Ａは、使用者によるフォーカス調整部３４１の操作を検出するとともに、フォーカス調整部３４１の位置も併せて検出する。
制御手段８Ａは、前述の制御手段８の構成に加えて、位置取得部８８を備える。
位置取得部８８は、検出手段４Ａからフォーカス調整部３４１の位置を取得する。
【００３４】
合焦方向判定部８６Ａは、位置取得部８８により操作前の位置と、操作後の位置を取得して、フォーカス調整部３４１がいずれの方向に操作されたかを判定する。さらに、合焦方向判定部８６Ａは、所定間隔で撮像手段５により撮像された操作後画像を記憶手段６から取得して、操作後画像のエッジ成分に基づいて、合焦状態にあるか否かを判定する。この際、エッジ成分の強度が高くなれば、操作方向が合焦位置に近づく方向であると判定し、エッジ成分の強度が低くなれば、操作方向が合焦位置から遠ざかる方向であると判定する。従って、合焦方向判定部８６Ａは、この操作方向が合焦方向である場合には、操作方向と同方向であると判定し、操作方向が合焦方向と反対方向である場合には、操作方向と反対方向であると判定する。
【００３５】
図６は、フォーカス調整部３４１が操作された際にスクリーンＳｃ上に表示されるガイダンス画面ＧＡの一例を示す図である。具体的に、図６（Ａ）は、合焦状態となるフォーカス調整部３４１の操作方向がガイダンス画面ＧＡに表示される図、また、図６（Ｂ）は、合焦状態にある場合のガイダンス画面ＧＡを示す図である。
ガイダンス画面生成部８７Ａは、合焦状態判定部８５及び合焦方向判定部８６Ａによる判定結果に基づいて、図６に示すようなガイダンス画面ＧＡの画像を、フレームメモリ８２上に生成する。
【００３６】
例えば、ガイダンス画面ＧＡには、図６に示すように、前述の合焦状態表示部Ｇ１、メッセージ表示部Ｇ２の他、操作方向表示部Ｇ３が設けられている。
操作方向表示部Ｇ３は、左右を示す一対の矢印が示され、合焦方向判定部８６Ａによる判定結果に応じて、いずれか一方の矢印が所定の色での点灯状態となり、他方の矢印が消灯状態となる。この一対の矢印のうち、左方向を示す矢印は、フォーカス調整部３４１を左方向へ動かすことで、合焦状態に近づくことを示すものであり、図６（Ａ）に示すように、右方向を示す矢印は、フォーカス調整部３４１を右方向へ動かすことで、合焦状態に近づくことを示すものである。なお、フォーカス調整部３４１の操作可能な方向と、操作方向表示部Ｇ３に表示される左右の矢印の方向とは、一致している方向が示されている。
【００３７】
次に、本実施形態でのフォーカス調整時のプロジェクタ１Ａの処理について、図７のフローチャートを参照して説明する。
プロジェクタ１Ａは、前述のステップＳ１〜Ｓ４を実行し、ステップＳ４での判定処理にて、合焦状態であると判定された際には、ステップＳ５を実行し、合焦状態でないと判定された際には、ステップＳ８を実行する。
ステップＳ８では、位置取得部８８は、検出手段４Ａよりフォーカス調整部３４１の位置を取得する（ステップＳ８）。
【００３８】
合焦方向判定部８６Ａは、フォーカス調整部３４１がいずれの方向に操作されたかを判定し、撮像画像のエッジ成分の強度に基づいて、操作方向が合焦位置に近づく方向であるか、合焦位置から遠ざかる方向であると判定する。そして、この操作方向が合焦方向である場合には、操作方向と同方向であると判定し、操作方向が合焦方向と反対方向である場合には、操作方向と反対方向であると判定する（ステップＳ９）。
この結果、ガイダンス画面生成部８７Ａは、操作方向を含むガイダンス画面ＧＡの画像をフレームメモリ８２上に生成して、駆動制御部８３は、フレームメモリ８２に書き込まれた画像に応じた駆動信号を、光変調装置３２に出力して、画像表示手段３は、投射画像Ｉｍ上に図６（Ａ）のガイダンス画面ＧＡを表示する（ステップＳ１０）。
この後は、ステップＳ１に戻って、上述したステップＳ１〜Ｓ５、及びＳ８〜Ｓ１０を繰り返す。
【００３９】
上述した第２実施形態のプロジェクタ１Ａによれば、前記第１実施形態に記載の（１）〜（５）の効果に加えて、以下の効果がある。
投射画像Ｉｍが合焦状態となるフォーカス調整部３４１の操作方向が、ガイダンス画面ＧＡの操作方向表示部Ｇ３に示されるので、当該操作方向表示部Ｇ３の表示を参照することで、フォーカス調整部３４１をどの方向に操作すればよいかを簡易に把握することができる。従って、画像のフォーカス調整を一層容易に行うことができる。
【００４０】
［実施形態の変形］
なお、本発明を実施するための最良の構成、方法などは、以上の記載で開示されているが、本発明は、これに限定されるものではない。
例えば、前記各実施形態では、フォーカス調整部３４１を操作すると、ガイダンス画面Ｇが表示されていたが、投射画像Ｉｍが合焦状態となった場合にのみ、合焦状態となったことをガイダンス画面Ｇに表示してもよい。
前記各実施形態では、メッセージ表示部Ｇ２にメッセージが表示されたが、操作方向を図形で示してもよい。
【００４１】
前記第２実施形態では、ガイダンス画面Ｇにメッセージ表示部Ｇ２が設けられたが、これを設けずに、合焦状態表示部Ｇ１及び操作方向表示部Ｇ３のみとしてもよい。また、合焦状態表示部Ｇ１のみでもよく、メッセージ表示部Ｇ２及び操作方向表示部Ｇ３のみとしてもよい。
【００４２】
また、入力画像と撮像画像とを比較し、エッジ成分を検出することで、前記各実施形態のガイダンス画面Ｇ，ＧＡに合焦レベルを表示するゲージを表示してもよい。これによれば、合焦状態となる位置までフォーカス調整部３４１をどれだけ操作する必要があるかを把握できる。
【００４３】
前記各実施形態では、検出手段４，４Ａが常時、フォーカス調整部３４１の操作を検出し、操作されたか否かを検出していたが、検出手段４，４Ａを設けずに、撮像手段５が撮像して取得した撮像画像を随時、比較することで、エッジ成分の変化に基づいて、フォーカス調整部３４１が操作されたことを検出してもよい。
【産業上の利用可能性】
【００４４】
本発明は、マニュアルフォーカス調整機能を備えたプロジェクタに利用できる。
【符号の説明】
【００４５】
１，１Ａ…プロジェクタ、３…画像表示手段、４，４Ａ…検出手段、５…撮像手段、８６，８６Ａ…合焦方向判定部（判定手段）、８７，８７Ａ…ガイダンス画面生成部（ガイダンス画面生成手段）、３４１…フォーカス調整部（フォーカス調整手段）、Ｇ，ＧＡ…ガイダンス画面。
【図１】
0005999156.tif 000002
【図２】
0005999156.tif 000003
【図３】
0005999156.tif 000004
【図４】
0005999156.tif 000005
【図５】
0005999156.tif 000006
【図６】
0005999156.tif 000007
【図７】
0005999156.tif 000008